(57)【要約】【課題】道路を走行中の車両のナンバープレートを撮影した画像を解析した画像解析情報を通信回線を介してリアルタイムに遠隔地の監視者に供給し、監視者は、観測状況を遠隔地からモニタリングしつつ撮影装置を遠隔制御できる。【解決手段】第１の撮影装置と、第１の撮影装置により撮影された走行車両のナンバープレート画像を解析した画像解析情報を通信回線を介して監視者端末に送信する管理サーバとを備え、管理サーバは、ナンバープレート画像を記録するナンバープレート画像記録手段、ナンバープレート画像を解析する画像解析手段、画像解析手段により解析された画像解析情報を記録する画像解析情報記録手段と、監視者端末からの要求に応じて監視者端末に画像解析情報を提供する画像解析情報提供手段及び第１の撮影装置を制御する第１の撮影装置制御手段を有する。【選択図】図１
2008027325.tif 000002
【特許請求の範囲】
【請求項１】
走行車両のナンバープレートを撮影する少なくとも１以上の第１の撮影装置と、該第１の撮影装置により撮影されたナンバープレート画像を解析した画像解析情報を通信回線を介して監視者端末に送信する管理サーバと、を備えてなる交通監視情報提供システムであって、
前記管理サーバは、
前記ナンバープレート画像を記録するナンバープレート画像記録手段と、
前記ナンバープレート画像を解析する画像解析手段と、
該画像解析手段により解析された画像解析情報を記録する画像解析情報記録手段と、
前記監視者端末からの要求に応じて監視者端末に前記画像解析情報を提供する画像解析情報提供手段と、
前記第１の撮影装置を制御する第１の撮影装置制御手段とを備え、
該第１の撮影装置制御手段は前記監視者端末からの要求に応じて前記第１の撮影装置を制御することを特徴とする交通監視情報提供システム。
【請求項２】
前記画像解析手段は、前記ナンバープレート画像を解析し、前記監視者端末の要求に応じたテキストデータとしての画像解析情報を作成することを特徴とする請求項１記載の交通監視情報提供システム。
【請求項３】
前記画像解析情報提供手段は、前記監視者端末からの要求で指定した前記第１の撮影装置及び撮影期間による画像解析情報を提供することを特徴とする請求項１又は２に記載の交通監視情報提供システム。
【請求項４】
前記第１の撮影装置は日時を表示する時計装置を有し、前記画像解析情報には前記時計装置が表示する撮影時の日時情報が各画像ごとに含まれることを特徴とする請求項１乃至３のいずれか一項記載の交通監視情報提供システム。
【請求項５】
道路状況を撮影する少なくとも１以上の第２の撮影装置を有し、
前記管理サーバは、更に、
前記第２の撮影装置により撮影された道路状況画像を記録する道路状況画像記録手段と、
前記道路状況画像を前記監視者端末からの要求に応じて前記監視者端末に送信する道路状況画像提供手段と、
前記第２の撮影装置を制御する第２の撮影装置制御手段とを備え、
該第２の撮影装置制御手段は前記監視者端末からの要求に応じて前記第２の撮影装置を制御することを特徴とする請求項１乃至４のいずれか一項に記載の交通監視情報提供システム。
【発明の詳細な説明】
【技術分野】
【０００１】
本発明は、走行車両のナンバープレートを撮影し、その撮影画像を解析した画像解析情報を通信回線を通じて監視者に提供する交通監視情報提供システムに関する。
【背景技術】
【０００２】
従来、道路計画や交通計画のために、道路走行中の車両数等の計測調査が、監視カメラ等を使用した計測装置によって行われていた。特に近年は、監視カメラで撮影した走行車両のナンバープレートからナンバー等を読み取り、盗難車両の特定に利用したり、さらには市街地への所用車両と通過車両との判別分析を行うことで、バイパス化や立体交差化等の道路計画にも利用されている。
【０００３】
上記利用を図るため、ナンバープレートの自動認識装置に関する技術が多数提案されている（例えば、特許文献１、２）。
【０００４】
近赤外光を使用した撮影装置では光デバイスのスペクトル分布に可視光領域が含まれることから、肉眼で認識されるおそれがあったが、上記特許文献１によれば、車両のナンバープレートの撮影に際して、照明装置に可視限度以上の波長領域のみを含む光を生じるＬＥＤまたはレーザーダイオードを使用したので、運転者に感知されることなく撮影が安価な装置によりできるようになった。
【０００５】
また上記特許文献２によれば、各種の変形を施したナンバープレート文字を格納する複数の辞書機能を備え、撮影したナンバープレート文字との合致度によりナンバープレート文字を高性能で自動的に読み取ることが可能となっている。
【特許文献１】特開２００１−２０９８８５号公報
【特許文献２】特開２００３−２４２４４５号公報
【発明の開示】
【発明が解決しようとする課題】
【０００６】
上記各特許文献に記載の技術によれば、走行車両のナンバープレートを自動認識することができ、盗難車両の特定や、通過車両等の判別が可能となるものである。
【０００７】
しかし、上記技術を利用した交通調査は、現場での観測状況をモニタリングするものであり、多数位置に設置した計測機器を使用する広範囲で大規模な交通調査においては、計測情報が分散しモニタリングに要する手数や費用がかかるものとなり、計測情報の抽出や表示の多様化に対応するには決して十分なものとはいえなかった。
【０００８】
本発明は、道路を走行中の車両ナンバープレートなどを撮影した画像を解析した画像解析情報を、通信回線を介してリアルタイムに遠隔地の監視者（例えば、道路を通行している車両の通行量や、道路の状況などの把握を目的としている道路管理者など）に供給し、監視者は、現場での観測状況を遠隔地からモニタリングしつつ、走行車両のナンバープレートなどを撮影する撮影装置に対する絞りやシャッターの調整、作動状況の点検、再起動の指令などの制御を行なうことができる交通監視情報システムを提供することを目的にしている。
【課題を解決するための手段】
【０００９】
前記目的を達成するために本発明が提案する交通監視情報提供システムは、走行車両のナンバープレートを撮影する少なくとも１以上の第１の撮影装置と、該第１の撮影装置により撮影されたナンバープレート画像を解析した画像解析情報を通信回線を介して監視者端末に送信する管理サーバと、を備えてなる交通監視情報提供システムであって、前記管理サーバは、前記ナンバープレート画像を記録するナンバープレート画像記録手段と、前記ナンバープレート画像を解析する画像解析手段と、該画像解析手段により解析された画像解析情報を記録する画像解析情報記録手段と、前記監視者端末からの要求に応じて監視者端末に前記画像解析情報を提供する画像解析情報提供手段と、前記第１の撮影装置を制御する第１の撮影装置制御手段とを備え、該第１の撮影装置制御手段は、前記監視者端末からの要求に応じて前記第１の撮影装置を制御することを特徴とするものである。
【００１０】
前記の第１の撮影装置制御手段は、例えば、ＣＣＤカメラなどからなる第１の撮影装置に対して、撮影した画像の管理サーバへの送信指令を行なう他、第１の撮影装置の絞りやシャッターの調整、作動状況の点検、再起動の指令の中の少なくとも一種以上の制御を行なうことができるものである。
【００１１】
本発明の交通監視情報提供システムにおいては、前記のように、走行車両のナンバープレートを撮影した画像を解析した画像解析情報を、道路を通行している車両の通行量や、道路の状況などの把握を目的としている道路管理者などである監視者が所持している端末装置（監視者端末）からの要求に応じ、通信回線を介して監視者端末へ提供するので、迅速な交通監視情報の提供が可能となる。
【００１２】
ここで、画像解析情報は、車両のナンバープレートの画像情報を解析したもので、ナンバープレートに記載されている、陸運支局名、車種番号、平仮名文字及び４桁数字の情報をいい、テキストデータに変換されたものとすることができる。
【００１３】
また、道路を通行している車両の通行量や、道路の状況などの把握を目的としている道路管理者などである監視者が所持している端末装置（監視者端末）からの要求に応じて第１の撮影装置を前記のように制御する第１の撮影装置制御手段が管理サーバに備えられているので、現場での観測状況をモニタリングしつつ、第１の撮影装置を遠隔から前述したように制御することができる。
【００１４】
前記本発明の交通監視情報提供システムにおいて、前記画像解析手段は、前記ナンバープレート画像を解析し、前記監視者端末からの要求に応じたテキストデータとしての画像解析情報を作成するものとすることができる。
【００１５】
ここで、監視者端末からの要求に応じたテキストデータとしての画像解析情報とは、例えば、上記のナンバープレート記載事項のうち、監視者端末から陸運支局名のみの解析情報の要求があれば、その要求に応じて作成された陸運支局名のみのテキストデータをいう。監視者側の調査に必要な情報を迅速に提供するものである。
【００１６】
前記において、画像解析は、撮影画像からプレート枠の切り出し、ナンバープレートの読み出し、テキストデータへの変換等の工程からなるものとすることができる。
【００１７】
これによれば、画像解析情報は、イメージ情報を解析して作成したテキストデータとして提供できるので、監視者側はデータの検索、加工等に広く利用することが可能である。
【００１８】
また画像解析情報提供手段は、前記監視者端末からの要求で指定した前記第１の撮影装置及び撮影期間による画像解析情報を提供する形態にすることができる。
【００１９】
画像解析情報は、画像解析情報記録手段に記録されているので、監視者端末で指定された第１の撮影装置及び撮影期間に相当する画像解析情報を、要求に応じて迅速に提供することができる。この画像解析情報から例えば、所定区間の走行車両の種類、走行車両の登録場所等が把握でき、交通計画や道路計画に貢献することができる。
【００２０】
さらに前記第１の撮影装置は日時を表示する時計装置を有し、前記画像解析情報には前記時計装置が表示する撮影時の日時情報が各画像ごとに含むようにすることができる。
【００２１】
各撮影画像ごとに撮影日時が含まれることにより、所定の車両ナンバーの車両が通過した時間を特定できるので、例えば複数箇所の撮影による画像解析情報により、所定区間の通過時間を算出できるので、交通渋滞の度合いや、区間内の立ち寄りの有無の判定も可能となり、道路計画により有益な情報を提供することができる。
【００２２】
前記本発明のいずれの交通監視情報提供システムにおいても、道路状況、例えば、走行車両を含む道路状況を撮影する少なくとも１以上の第２の撮影装置を有し、前記管理サーバは、更に、前記第２の撮影装置により撮影された道路状況画像を記録する道路状況画像記録手段と、前記道路状況画像を前記監視者端末からの要求に応じて前記監視者端末に送信する道路状況画像提供手段と、前記第２の撮影装置を制御する第２の撮影装置制御手段とを備え、該第２の撮影装置制御手段は前記監視者端末からの要求に応じて前記第２の撮影装置を制御する形態にすることもできる。
【００２３】
ここでも、前記の第２の撮影装置制御手段は、例えば、ＣＣＤカメラやビデオカメラなどからなる第２の撮影装置に対して、撮影した画像の管理サーバへの送信指令を行なう他、第２の撮影装置の絞りやシャッターの調整、作動状況の点検、再起動の指令の中の少なくとも一種以上の制御を行なうことができるものである。
【００２４】
かかる形態によれば、ナンバープレート画像の画像解析情報に加え、道路状況を撮影した道路状況画像を監視者端末に送信することで、リアルタイムに道路状況を把握することができる。
【００２５】
そして、この道路状況画像を撮影する第２の撮影装置の制御を監視者端末からの要求に応じてすることで、監視者の要求に迅速に対応したより有益な道路状況画像を提供することができる。
【発明の効果】
【００２６】
本発明によれば、道路を走行中の車両ナンバープレートなどを撮影した画像を解析した画像解析情報を、通信回線を介してリアルタイムに遠隔地の監視者（例えば、道路を通行している車両の通行量や、道路の状況などの把握を目的としている道路管理者など）に供給し、監視者は、現場での観測状況を遠隔地からモニタリングしつつ、走行車両のナンバープレートなどを撮影する撮影装置に対する絞りやシャッターの調整、作動状況の点検、再起動の指令などの制御を行なうことができる。
【００２７】
更に、本発明によれば、撮影した走行車両の画像を解析した解析情報を、監視者の要求に応じたテキストデータとして、通信回線を介し監視者端末にリアルタイムに提供することが可能となる。
【発明を実施するための最良の形態】
【００２８】
以下、添付図面を参照して本発明の好ましい実施形態を説明する。
【００２９】
図１に例示されている本発明の交通監視情報提供システムにおける管理サーバ１１は、主として、通信回線１２を介して監視者端末１３（１３ａ〜１３ｎ）に、第１の撮影装置であるＣＣＤカメラ１５（１５ａ〜１５ｎ）が撮影した車両のナンバープレート画像を解析した画像解析情報等を、監視者（例えば、道路を通行している車両の通行量や、道路の状況などの把握を目的としている道路管理者など）へ提供するシステムとしての役割を果たすものである。
【００３０】
第１の撮影装置であるＣＣＤカメラ１５（１５ａ〜１５ｎ）は、車両のナンバープレートを撮影するもので、一般的には、通行する車両のナンバープレートが撮影できる位置、角度に設定されている。撮影したナンバープレート画像は、処理装置１６（１６ａ〜１６ｎ）によりＡ／Ｄ変換され、通信回線１７を介して管理サーバ１１に送信される。管理サーバ１１では後述するようにこのナンバープレート画像を解析して、画像解析情報として監視者端末１３（１３ａ〜１３ｎ）からの要求に応じて提供する。なお通信回線１２、１７は、専用回線、インターネット、ＬＡＮ等の通信回線が該当するが、本実施形態での通信回線１２はインターネット回線が該当する。
【００３１】
ＣＣＤカメラ１５（１５ａ〜１５ｎ）は、可視限界以上の波長領域を含むＬＥＤ等の照明装置（図示せず）が照らす車両ナンバープレートを撮影するもので、運転者の肉眼で認識不可能な波長領域の照明光を使用している。視覚上、運転に支障を来たさないようにする等の目的である。
【００３２】
撮影は時速１００ｋｍ程度の高速走行車両のナンバープレートの撮影をも確実にするために、シャッター速度を例えば２０００分の１秒程度にするものである。しかし、例えば料金所等のように、車両が高速走行しないところでは、このシャッター速度は適宜変更して設定することができる。
【００３３】
図示の交通監視情報提供システムでは、更に走行車両を含む道路状況を撮影した画像を撮影する第２の撮影装置であるビデオカメラ１８（１８ａ〜１８ｎ）と、この道路状況画像をＡ／Ｄ変換して通信回線１７を介して管理サーバ１１に送信する処理装置１９（１９ａ〜１９ｎ）と、ビデオカメラ１８（１８ａ〜１８ｎ）の撮影角度を自在に変更可能にするカメラ載置台２０（２０ａ〜２０ｎ）とが設けられている。
【００３４】
上記した第１の撮影装置であるＣＣＤカメラ１５（１５ａ〜１５ｎ）は、車両のナンバープレートを撮影するため、一般的には、最適な撮影位置及び角度等に調整の上、設置されているが、第２の撮影装置であるビデオカメラ１８（１８ａ〜１８ｎ）は渋滞や路面等の道路状況を撮影するため、撮影範囲を監視者端末１３（１３ａ〜１３ｎ）からの要求を受けた管理サーバ１１の指令により適宜変更できるように、カメラ載置台２０（２０ａ〜２０ｎ）を自在に変動可能としたものである。
【００３５】
カメラ載置台２０（２０ａ〜２０ｎ）は、ビデオカメラ１８（１８ａ〜１８ｎ）を載置するものであり、載置面を前後左右に回動することにより撮影角度を水平方向、上下方向に変動させることができる。
【００３６】
監視者端末１３（１３ａ〜１３ｎ）は、例えば、道路を通行している車両の通行量や、道路の状況などの把握を目的としている道路管理者などが所持している端末装置であり、ＰＣ（パーソナルコンピュータ）と通信装置、ディスプレイ及び入力装置等の周辺機器を組み合わせたものが相当する。またこの端末装置には、上記したＰＣ等と同程度の機能を有するものであれば携帯型の端末装置等を使用してもよい。
【００３７】
管理サーバ１１は、データベースとしての役割を有する、ナンバープレート画像記録手段３１、画像解析情報記録手段３２、道路状況画像記録手段３３、監視者情報記録手段３５及び設備情報記録手段３６を有する。
【００３８】
ナンバープレート画像情報記録手段３１は、第１の撮影装置であるＣＣＤカメラ１５（１５ａ〜１５ｎ）が撮影し、処理装置１６（１６ａ〜１６ｎ）でＡ／Ｄ変換された、車両のナンバープレートの画像を記録保存するものであり、撮影場所、撮影カメラＩＤ、撮影日時が関連付けて記録される。
【００３９】
画像解析情報記録手段３２は、ナンバープレート画像情報記録手段３１に記録されたナンバープレート画像から、プレート枠を特定し、枠内の文字、数字等を認識し、テキストデータとした画像解析情報を記録保存するものであり、同じく撮影場所、撮影カメラＩＤ、撮影日時が関連付けて記録される。
【００４０】
道路状況画像記録手段３３は、第２の撮影装置であるビデオカメラ１８（１８ａ〜１８ｎ）が撮影した道路状況画像を記録保存するものであり、同じく撮影場所、撮影カメラＩＤ、撮影日時が関連付けて記録される。
【００４１】
監視者情報記録手段３５は、交通監視情報提供システムにより画像解析情報や道路状況画像等を管理サーバ１１から監視者端末１３（１３ａ〜１３ｎ）に取得する監視者の情報を記録保存するものであり、例えば本システムを利用するための監視者ＩＤ、パスワード、利用履歴、利用料金等を記録するものとすることができる。
【００４２】
設備情報記録手段３６は、本システムによる画像情報等を取得するための第１の撮影装置であるＣＣＤカメラ１５（１５ａ〜１５ｎ）及び処理装置１６（１６ａ〜１６ｎ）、そして第２の撮影装置であるビデオカメラ１８（１８ａ〜１８ｎ）及び処理装置１９（１９ａ〜１９ｎ）、カメラ載置台２０（２０ａ〜２０ｎ）の設置位置や、メンテナンス履歴等の設備に関する各種情報が記録保存される。
【００４３】
これらのデータベースについては、管理サーバ１１の記録管理手段３７が情報の更新、変更等を適宜行っている。例えば、ナンバープレート画像記録手段３１、道路状況画像記録手段３３については、撮影された画像情報が送信されるごとに新たに記録保存され、画像解析情報記録手段３２については、画像解析が行われるごとに新たに記録保存される。
【００４４】
また管理サーバ１１は、ＣＣＤカメラ１５（１５ａ〜１５ｎ）及び処理装置１６（１６ａ〜１６ｎ）の動作を制御するＣＣＤカメラ制御手段５１、ビデオカメラ１８（１８ａ〜１８ｎ）及び処理装置１９（１９ａ〜１９ｎ）の動作を制御するビデオカメラ制御手段５２、そしてビデオカメラ１８（１８ａ〜１８ｎ）の撮影範囲を変更可能とするカメラ載置台２０（２０ａ〜２０ｎ）の回動を制御するカメラ載置台制御手段５３を有している。ＣＣＤカメラ制御手段５１及びビデオカメラ制御手段５２は、ＣＣＤカメラ１５、ビデオカメラ１８の絞りやシャッターの調整、等のほか、作動状態の点検、再起動等の指令、撮影した画像の管理サーバ１１への送信指令等も行っている。
【００４５】
この実施形態においては、ＣＣＤカメラ１５が本発明における第１の撮影装置、ビデオカメラ１８が本発明における第２の撮影装置にそれぞれ該当している。
【００４６】
また、ＣＣＤカメラ制御手段５１が本発明における第１の撮影装置制御手段、ビデオカメラ制御手段５２とカメラ載置台制御手段５３とが、第２の撮影装置制御手段にそれぞれ該当している。
【００４７】
なお、図示していないが、ＣＣＤカメラ１５にもＣＣＤカメラ１５の撮影角度を自在に変更可能にするカメラ載置台を配備し、第１の撮影装置制御手段によって、当該カメラ載置台の回動をも制御するようにもできる。
【００４８】
管理サーバ１１は、ナンバープレート画像を解析して、ナンバープレートに記載されている文字、数字の情報をテキストデータとしての画像解析情報として作成する画像解析手段５５、画像解析情報を監視者端末１３（１３ａ〜１３ｎ）からの要求に応じて送信、提供する画像解析情報提供手段５６、道路状況画像を監視者端末１３（１３ａ〜１３ｎ）に送信、提供する道路状況画像提供手段５７、通信回線１２、１７を介して監視者端末１３、ＣＣＤカメラ１５及びビデオカメラ１８と各種情報を送受信する通信手段５８、そして管理サーバ１１の各手段を制御する制御手段５９を有する。
【００４９】
管理サーバ１１は、汎用機であるパーソナルコンピュータ、ワークステーションに通信機器や入出力装置等の周辺機器を組み合わせたものが相当する。
【００５０】
管理サーバ１１のデータベースであるナンバープレート画像記録手段３１、画像解析情報記録手段３２、道路状況画像記録手段３３、監視者情報記録手段３５及び設備情報記録手段３６は、パーソナルコンピュータのハードディスク等の外部記憶装置が相当する。
【００５１】
そして、記録管理手段３７、ＣＣＤカメラ制御手段５１、ビデオカメラ制御手段５２、カメラ載置台制御手段５３、画像解析手段５５、画像解析情報提供手段５６、道路状況画像提供手段５７、通信手段５８及び制御手段５９は、管理サーバ１１の構成部分であるＣＰＵ、ＲＡＭ及びＲＯＭが該当し、ハードディスク等の記録媒体に記録された本システム用の所定プログラムを上記ＲＡＭにロードし、上記ＣＰＵにより実行することで、これら各手段の機能が実現されるものである。
【００５２】
次に、交通監視情報提供システムの動作の一例について、図２を参照して説明する。管理サーバ１１がウェブサーバとして提供する本システムのウェブサイトに、監視者端端末１３から該当するＵＲＬを入力してログインする（Ｓ１１）。
【００５３】
管理サーバ１１は、ログインした監視者端末１３に対して、専用パスワード等の入力と、本システムによる提供要求内容の選択欄を作成して送信する（Ｓ１２）。
【００５４】
図３に示すように、監視者端末１３に送信された選択欄等は、監視者ＩＤ、専用パスワードの入力欄と、本システムにより提供を要求する内容を選択する選択欄とが表示されている。選択欄では、「道路状況画像の提供」、「道路状況画像の提供を行うビデオカメラ等の調整」、画像解析情報である「車両ナンバー情報の提供」がラジオボタンにより選択できるようになっている。
【００５５】
監視者端末１３のディスプレイ等の画面上に表示された選択欄等に所定事項等を入力し、送信ボタンをクリックすると、管理サーバ１１に送信される（Ｓ１３）。
【００５６】
選択欄が入力されて管理サーバ１１に送信されると、選択内容に応じた要求入力画面が作成され、監視者端末１３に送信される（Ｓ１４）。
【００５７】
図４及び図５は、監視者端末１３の画面上に表示される要求入力画面である。図４は、画像解析情報である車両ナンバー情報の提供要求の入力画面である。図４に示すように、ＣＣＤカメラ１５の設置位置と、この設置位置にあるＣＣＤカメラ１５（ナンバープレート撮影カメラ）ＩＤを入力して、撮影したカメラを特定する。そしてこの特定したカメラによる撮影期間を日、時、分、秒の単位で指定する。
【００５８】
この撮影期間に撮影したナンバープレート画像を解析した解析画像情報、すなわち車両ナンバー情報が監視者端末１３に送信提供されることになる。またこのとき、ＣＣＤカメラ１５が撮影したときの日時情報の併記を要求することができる。監視者側が道路計画や交通計画に、車両ナンバー情報をさらに分析する必要があることを考慮して、その便宜を図るために時刻情報も併記することとしたものである。
【００５９】
また車両ナンバー情報には、監視者側の要求に応じて、ナンバープレート全体の情報のほか、その一部の情報を提供することもできる。これは入力画面の表示方法の選択欄を選択することで、例えば陸運支局名、車種番号等のみの提供を受けることができる。
【００６０】
なお、この際、撮影した画像の管理サーバ１１への送信指令のほか、ＣＣＤカメラ１５の絞りやシャッターの調整等、作動状態の点検、再起動等の指令を行なう必要がある場合には、その旨の入力を監視者端末１３から入力し、ＣＣＤカメラ制御手段５１によって、監視者端末１３を操作している者が希望するようにＣＣＤカメラ１５を遠隔制御することができる。
【００６１】
道路状況画像を撮影するビデオカメラ１８の調整については、図５に示すように調整の対象となるビデオカメラ１８とその調整内容を特定するための情報を画面上から入力する。入力内容は、ビデオカメラ１８の設置場所、該当するビデオカメラ１８のカメラＩＤ、調整する撮影角度、画像調整度、再起動の要請等を入力する。このうち撮影角度は、水平方向の左右の旋回角度、上下方向の上下旋回角度を入力することができる。
【００６２】
ビデオカメラ１８は道路状況の画像を撮影するものであるから、その撮影角度は適宜変更する必要があり、例えば監視者端末１３から角度変更の指示を入力すると、管理サーバ１１のビデオカメラ載置台制御手段５３が制御指令情報を処理装置１９に送信し、カメラ載置台２０回動して所定の撮影角度に変更する。
【００６３】
図４、図５の入力画面に監視者端末１３から入力して、管理サーバ１１に送信する（Ｓ１５）。管理サーバ１１は、画像解析情報である車両ナンバー情報の提供が求められたときは、画像解析情報提供手段５６が、求めに応じた画像解析情報を監視者端末１３に送信する（Ｓ１６）。この送信する画像解析情報は、例えば、要求があった計測地点に設置されたＣＣＤカメラ１５が、要求があった期間に撮影したナンバープレート画像を、画像解析手段５５が解析した車両ナンバーのテキストデータである。
【００６４】
また監視者端末１３からの要求入力が、ビデオカメラ１８の角度調整であるときは、ビデオカメラ制御手段５２の制御信号により調整した処理装置１９からの調整完了信号の受信記録を、監視者端末に送信する。
【００６５】
管理サーバ１１から画像解析情報等の送信があった監視者端末１３は、戻りの欄（図示せず）をクリックすることで再度要求入力の画面に戻ることができ、終了の欄（図示せず）をクリックすることで本システムを終了することになる。
【００６６】
このように、車両ナンバーを撮影した画像の解析情報を、管理サーバが集約し、この集約した解析情報を、監視者の要求に応じて、通信回線を介して監視者端末１３にリアルタイムに送信することができるので、監視者側は広範囲にわたる調査を迅速に行うことができる。
【００６７】
例えば、特定区間を通過するのに要する時間や、他県からの流入車両の特定等その他を、日時、曜日等に分類して調査すること等が可能である。その調査等により道路のバイパス化計画、立体交差化、信号の設置や、信号の時間調整、料金所の拡大等に、有効なデータを提供することができる。
【００６８】
また本システムでは、車両ナンバーの認識とその提供のみでなく、道路状況画像をも提供することができ、さらに監視者端末からの撮影角度変更にもリアルタイムに応じることができるので、道路管理者等の要望に沿った有効な情報を迅速に提供することができる。
【００６９】
以上、添付図面を参照して本発明の好ましい実施形態を説明したが、本発明はかかる実施形態に限られるものではなく、特許請求の範囲の記載から把握される技術的範囲において種々の形態に変更可能である。
【００７０】
例えば、所定のコンピュータプログラムがＣＰＵなどの処理部によって実行されることにより、ＣＣＤカメラ１５やビデオカメラ１８の異常を把握した際に、監視者端末１３に対して、その旨を通知する異常通報処理部が管理サーバ１１に備えられている構成にすることもできる。
【００７１】
あらかじめ定められている動作不良、例えば、ＣＣＤカメラ１５やビデオカメラ１８との通信回線１７を介した情報交信が不通になった、観測精度が低下した（例えば、太陽光の影響などによる観測精度の低下）、ナンバープレート読み取りの精度が低下した、ＣＣＤカメラ１５やビデオカメラ１８等の器機の動作不良が生じたような場合、これを自動的に管理サーバ１１の異常通報処理部で把握し、監視者端末１３に対して、その旨を通知するものである。この通知は、例えば、電子メールで通知する、更には、画像情報を監視者端末１３に対して送信する形態にすることができる。
【００７２】
かかる通知を受けた監視者端末１３を操作している者は、監視者端末１３、通信回線１２を介して管理サーバ１１にアクセスし、所定の指示を送ることにより、ＣＣＤカメラ制御手段５１、ビデオカメラ制御手段５２を介して、速やかに、動作不良状態の解消を図るよう遠隔制御できる。
【図面の簡単な説明】
【００７３】
【図１】本発明の交通監視情報提供システムが実施される状況を概説する全体構成図。
【図２】本発明の交通監視情報提供システムの動作を示す流れ図。
【図３】本発明の交通監視情報提供システムにおける選択欄の表示画面図。
【図４】画像解析情報である車両ナンバー情報の提供要求の入力画面図。
【図５】第２の撮影装置である交通量監視カメラの調整情報の入力画面図。
【符号の説明】
【００７４】
１１  管理サーバ
１５（１５ａ〜１５ｎ）  ＣＣＤカメラ
１８（１８ａ〜１８ｎ）  ビデオカメラ
２０（２０ａ〜２０ｎ）  カメラ載置台
３１  ナンバープレート画像記録手段
３２  画像解析情報記録手段
３３  道路状況画像記録手段
５１  ＣＣＤカメラ制御手段
５２  ビデオカメラ制御手段
５５  画像解析手段
５６  画像解析情報提供手段
５７  道路状況画像提供手段
【図１】
2008027325.tif 000003
【図２】
2008027325.tif 000004
【図３】
2008027325.tif 000005
【図４】
2008027325.tif 000006
【図５】
2008027325.tif 000007